(57)【特許請求の範囲】
【請求項１】
エレベータの乗りかご内に設置されたかご内出力装置に接続され、
前記乗りかごがいずれかの階床で停止して戸開する前の前記乗りかご内の状況を示す情報と、前記階床で戸開し戸閉した後の前記乗りかご内の状況を示す情報とを取得するかご内状況情報取得部と、
前記かご内状況情報取得部で取得された情報に基づいて、該当する階床で戸開し戸閉した後の前記乗りかご内の利用者数が戸開前の利用者数よりも増加していたと判断した場合に、前記かご内出力装置から、利用者の乗車協力に対する謝意を示すかご内報知情報を出力させる動作制御部と
を備えることを特徴とするエレベータ制御装置。
【請求項２】
前記かご内状況情報取得部は、戸開中の少なくとも２時点における前記乗りかご内の状況を示す情報をさらに取得し、
前記動作制御部は、前記かご内状況情報取得部で取得された情報に基づいて、戸開中に前記乗りかご内に新たに乗り込んだ利用者がいたと判断した場合に、前記かご内出力装置から前記かご内報知情報を出力させる
ことを特徴とする請求項１に記載のエレベータ制御装置。
【請求項３】
前記動作制御部は、前記乗りかごが停止した階床が予め設定された階床である場合は、前記かご内報知情報を出力させない
ことを特徴とする請求項１または２に記載のエレベータ制御装置。
【請求項４】
前記エレベータのかご呼び登録の情報を取得するかご呼び登録情報取得部と、
前記エレベータのホール呼び登録の情報を取得するホール呼び登録情報取得部とをさらに備え、
前記動作制御部は、前記乗りかごがいずれかの階床に停止する前に、当該階床を行先階とするかご呼びが登録されておらず且つ当該階床で現在の前記乗りかごの運転方向と同方向のホール呼びが登録されている状況になっていないと判断した場合には、前記かご内報知情報を出力させない
ことを特徴とする請求項１〜３いずれか１項に記載のエレベータ制御装置。
【請求項５】
前記動作制御部は、前記乗りかごが次に停止する階床と、当該階床の次の行先階との組み合わせが予め設定された条件に合致する場合には、前記かご内報知情報を出力させない
ことを特徴とする請求項１〜４いずれか１項に記載のエレベータ制御装置。
【請求項６】
前記動作制御部は、複数種類のかご内報知情報を保持し、かご内報知情報を出力させる際に、保持した中から前記乗りかご内の状況の変化に応じたいずれかのかご内報知情報を選択して出力させる
ことを特徴とする請求項１〜５いずれか１項に記載のエレベータ制御装置。
【請求項７】
前記エレベータの各階床のホールに設置されたホール出力装置にさらに接続され、
前記ホールの状況を示す情報を取得するホール状況情報取得部をさらに備え、
前記動作制御部は、前記ホール状況情報取得部で取得された情報が予め設定された条件に合致する階床があると判断すると、該当する階床のホール出力装置から所定のホール報知情報を出力させる
ことを特徴とする請求項１〜６いずれか１項に記載のエレベータ制御装置。
【請求項８】
前記動作制御部は、複数種類のホール報知情報を保持し、ホール報知情報を出力させる際に、保持した中から前記ホールの状況の変化に応じたいずれかのホール報知情報を選択して出力させる
ことを特徴とする請求項７に記載のエレベータ制御装置。
【請求項９】
エレベータの乗りかご内に設置されたかご内出力装置に接続されたエレベータ制御装置が、
前記乗りかごがいずれかの階床で停止して戸開する前の前記乗りかご内の状況を示す情報と、前記階床で戸開し戸閉した後の前記乗りかご内の状況を示す情報とを取得し、
取得した情報に基づいて、該当する階床で戸開し戸閉した後の前記乗りかご内の利用者数が戸開前の利用者数よりも増加していたと判断した場合に、前記かご内出力装置から、利用者の乗車協力に対する謝意を示すかご内報知情報を出力させる
ことを特徴とするエレベータ制御方法。
【発明の詳細な説明】
【技術分野】
【０００１】
本発明の実施形態は、エレベータ制御装置およびエレベータ制御方法に関する。
【背景技術】
【０００２】
エレベータは、利用者の操作によるホール呼びおよびかご呼びに順次応答しながら走行する。ホール呼びが発生した際には、満員状態ではなく乗り込み可能な乗りかごが該当する階床のエレベータホールに着床することで、当該ホール呼びへの応答が行われる。利用者は、自身が行ったホール呼び操作に応答して着床した乗りかごに乗り込み、目的階まで移動することができる。
【先行技術文献】
【特許文献】
【０００３】
【特許文献１】特開２０１３−５６７２０号公報
【特許文献２】特開２０１９−３８６８３号公報
【発明の概要】
【発明が解決しようとする課題】
【０００４】
ホール呼びに応答して乗りかごがエレベータホールに着床して戸開した際に、乗りかご内に空きスペースがあっても、かごドア付近が混雑しているとエレベータホールの利用者が乗り込まず、積み残しが発生することがある。この場合、エレベータホールの利用者は当該乗りかごが出発した後に再度ホール呼び操作を行うことになり、エレベータの運転効率が低下するという問題があった。
【０００５】
本発明は上記事情に鑑みてなされたものであり、利用者の乗車マナーを向上させることでエレベータの積み残しを低減させて運転効率を向上させることが可能な、エレベータ制御装置およびエレベータ制御方法の提供を目的とする。
【課題を解決するための手段】
【０００６】
上記目的を達成するための実施形態によればエレベータ制御装置は、かご内状況情報取得部と動作制御部とを備える。かご内状況情報取得部は、エレベータの乗りかごがいずれかの階床で停止して戸開する前の乗りかご内の状況を示す情報と、当該階床で戸開し戸閉した後の乗りかご内の状況を示す情報とを取得する。動作制御部は、かご内状況情報取得部で取得された情報に基づいて、該当する階床で戸開し戸閉した後の乗りかご内の利用者数が戸開前の利用者数よりも増加していたと判断した場合に、かご内出力装置から、利用者の乗車協力に対する謝意を示すかご内報知情報を出力させる。
【図面の簡単な説明】
【０００７】
【図１】第１〜第８実施形態によるエレベータ制御装置を利用したエレベータの構成を示す全体図。
【図２】第１〜第３実施形態によるエレベータ制御装置の構成を示すブロック図。
【図３】第１実施形態によるエレベータ制御装置の動作を示すフローチャート。
【図４】第２実施形態によるエレベータ制御装置の動作を示すフローチャート。
【図５】第３実施形態によるエレベータ制御装置の動作を示すフローチャート。
【図６】第４〜第６実施形態によるエレベータ制御装置の構成を示すブロック図。
【図７】第４実施形態によるエレベータ制御装置の動作を示すフローチャート。
【図８】第５実施形態によるエレベータ制御装置の動作を示すフローチャート。
【図９】第６実施形態によるエレベータ制御装置の動作を示すフローチャート。
【図１０】第７および第８実施形態によるエレベータ制御装置の構成を示すブロック図。
【図１１】第７実施形態によるエレベータ制御装置の動作を示すフローチャート。
【図１２】第８実施形態によるエレベータ制御装置の動作を示すフローチャート。
【発明を実施するための形態】
【０００８】
《第１実施形態》
〈第１実施形態によるエレベータ制御装置を用いたエレベータの構成〉
本発明の第１実施形態によるエレベータ制御装置を用いたエレベータの構成について、図１を参照して説明する。
【０００９】
本実施形態によるエレベータ１Ａは、ｎ階建ての建物の昇降路２内を昇降する乗りかご３と、当該建物内の各階のエレベータホール４−１〜４−ｎにそれぞれ設置されたホール操作盤４１−１〜４１−ｎ、エレベータホール４−１〜４−ｎ内をそれぞれ撮影するホールカメラ装置４２−１〜４２−ｎ、およびホール出力装置としてのホールスピーカ装置４３−１〜４３−ｎと、乗りかご３およびホール操作盤４１−１〜４１−ｎに接続されたエレベータ制御装置５Ａとを備える。乗りかご３は、エレベータホール４−１〜４−ｎ側の側板に設置されたかごドア３１と、乗り込んだ利用者が行先階を指定するかご呼び操作を行うための操作ボタン（図示せず）を有するかご内操作盤３２と、乗りかご３内を撮影するかご内カメラ装置３３と、音声情報を出力するかご内出力装置としてのかご内スピーカ装置３４とを有する。
【００１０】
ホール操作盤４１−１〜４１−ｎは、エレベータホール４−１〜４−ｎにいる利用者が、乗りかご３を呼び寄せるホール呼び操作を行うための操作ボタン（図示せず）を有する。以下、エレベータホール４−１〜４−ｎのうち、いずれの階床のエレベータホールであるかを特定する必要がない場合には、エレベータホール４と記載する。同様に、ホール操作盤４１−１〜４１−ｎについてはホール操作盤４１と記載し、ホールカメラ装置４２−１〜４２−ｎについてはホールカメラ装置４２と記載し、ホールスピーカ装置４３−１〜４３−ｎについてはホールスピーカ装置４３と記載する。
【００１１】
エレベータ制御装置５Ａは、図２に示すように、かご内状況情報取得部５１と、かご内状況情報記憶部５２と、報知情報出力判定部５３Ａと、動作制御部５４とを有する。
【００１２】
かご内状況情報取得部５１は、所定時間帯に、乗りかごがいずれかの階床で停止し戸開することが決定すると、当該階床で戸開する前の前記乗りかご内の状況を示す情報と、当該階床で戸開し戸閉した後の前記乗りかご内の状況を示す情報とを取得する。かご内状況情報記憶部５２は、かご内状況情報取得部５１で取得された情報を記憶する。
【００１３】
報知情報出力判定部５３Ａは、かご内状況情報記憶部５２に記憶された情報に基づいて、該当する階床で戸開し戸閉した後の乗りかご３内の利用者数が戸開前の利用者数よりも増加していた場合に、戸開中に新たに乗り込んだ利用者がいると判断してかご内報知情報出力指令を出力する。
【００１４】
動作制御部５４は、報知情報出力判定部５３Ａからかご内報知情報出力指令が出力されると、かご内スピーカ装置３４から、乗りかご内の利用者の乗車協力に対する謝意を示すかご内報知情報を出力させる。
【００１５】
〈第１実施形態によるエレベータ制御装置を用いたエレベータの動作〉
本実施形態によるエレベータ１Ａの動作について説明する。図３は、エレベータ１Ａの動作中にエレベータ制御装置５Ａで実行される処理を示すフローチャートである。
【００１６】
エレベータ制御装置５Ａは、所定期間、例えば通勤時間帯等、混み合う時間帯のエレベータ１Ａの通常運転中に、かご呼びまたはホール呼びが登録されたことにより、乗りかご３がいずれかの階床で停止し戸開することが決定したか否かを判定する（Ｓ１）。
【００１７】
ここで、乗りかご３がいずれかの階床で戸開することが決定したと判定すると（Ｓ１の「YES」）、かご内状況情報取得部５１が、当該階床で戸開する前の乗りかご３内の状況を示す情報と、当該階床で戸開し戸閉した後の乗りかご３内の状況を示す情報とを取得する。乗りかご３内の状況を示す情報は、例えば、かご内カメラ装置３３で撮影された撮像情報に基づいて取得された、乗りかご３内の利用者の人数、位置、および空きスペースの位置等の情報である。かご内状況情報取得部５１で取得された情報は、かご内状況情報記憶部５２に記憶される（Ｓ２）。
【００１８】
これらの情報が記憶されると、報知情報出力判定部５３Ａは記憶された情報に基づいて、該当する階床で戸開し戸閉した後の乗りかご３内の利用者数が戸開前の利用者数よりも増加したか否かを判定する（Ｓ３）。判定の結果、増加していた場合には（Ｓ３の「YES」）、戸開中に新たに乗り込んだ利用者がいると判断してかご内報知情報出力指令を出力する。
【００１９】
報知情報出力判定部５３Ａからかご内報知情報出力指令が出力されると、動作制御部５４は、かご内スピーカ装置３４から利用者の乗車協力に対する謝意を示すかご内報知情報としての音声情報、例えば「乗車のご協力ありがとうございました」を出力する（Ｓ４）。
【００２０】
ステップＳ１またはステップＳ３において該当する条件を満たさないと判定したとき（Ｓ１の「NO」、Ｓ３の「NO」）には、ステップＳ１に戻って通常運転が継続される。
【００２１】
以上の第１実施形態によれば、エレベータが混雑する時間帯に、エレベータホールから乗りかごに新たに乗り込んだ利用者がいたときに乗車協力に対する謝意を示す情報を出力させることで、乗車マナーの向上を図ることができる。具体的には、乗りかご内にいた利用者に、奥側につめる等の乗車協力をして良かったと思わせる効果、および新たに乗り込んだ利用者に、ある程度混雑していても乗り込んで良かったと思わせる効果を得ることができる。
【００２２】
《第２実施形態》
〈第２実施形態によるエレベータ制御装置を用いたエレベータの構成〉
本発明の第２実施形態によるエレベータ１Ｂの構成は、第１実施形態で説明したエレベータ１Ａの構成と同様であるため、同一機能を有する部分の詳細な説明は省略する。本実施形態においてエレベータ制御装置５Ｂのかご内状況情報取得部５１は、戸開中の少なくとも２時点、例えば戸開直後および戸開から５秒後の２時点における乗りかご３内の状況を示す情報をさらに取得する。
【００２３】
また報知情報出力判定部５３Ｂは、かご内状況情報取得部５１で取得された情報に基づいて、戸開中に乗りかご３内に新たに乗り込んだ利用者がいた場合、または、戸開し戸閉した後の乗りかご３内の利用者数が戸開前の利用者数よりも増加していた場合に、かご内報知情報出力指令を出力すると判定する。
【００２４】
〈第２実施形態によるエレベータ制御装置を用いたエレベータの動作〉
本実施形態によるエレベータ１Ｂの動作について、図４のフローチャートを参照して説明する。
【００２５】
エレベータ制御装置５Ｂは、所定期間のエレベータ１Ｂの運転中に、乗りかご３がいずれかの階床で停止し戸開することが決定すると（Ｓ１１の「YES」）、かご内状況情報取得部５１が、当該停止階で戸開する前、戸開中の少なくとも２時点、および戸開し戸閉した後の乗りかご３内の状況を示す情報を取得する。かご内状況情報取得部５１で取得された情報は、かご内状況情報記憶部５２に記憶される（Ｓ１２）。
【００２６】
これらの情報が記憶されると、報知情報出力判定部５３Ｂは、記憶された戸開中の少なくとも２時点の乗りかご３内の状況を示す情報に基づいて、かごドア３１付近の利用者の位置の変化に基づいて、戸開中に新たに乗り込んだ利用者がいたか否かが判定される（Ｓ１３）。ここで、新たに乗り込んだ利用者がいたと判定されたときには（Ｓ１３の「YES」）、かご内報知情報出力指令を送出する。
【００２７】
また、ステップＳ１３で新たに乗り込んだ利用者がいなかったと判定されたときには（Ｓ１３の「NO」）、報知情報出力判定部５３Ｂはさらに、かご内状況情報記憶部５２に記憶された情報に基づいて、該当する停止階で戸開し戸閉した後の乗りかご３内の利用者数が戸開前の利用者数よりも増加したか否かを判定する（Ｓ１４）。判定の結果、増加していた場合には（Ｓ１４の「YES」）、かご内報知情報出力指令を送出する。
【００２８】
ステップＳ１３またはステップＳ１４の判定処理でかご内報知情報出力指令が送出されると、動作制御部５４は、かご内スピーカ装置３４から乗りかご内の利用者の乗車協力に対する謝意を示すかご内報知情報を出力する（Ｓ１５）。
【００２９】
ステップＳ１１またはステップＳ１４において該当する条件を満たさないと判定したとき（Ｓ１１の「NO」、Ｓ１４の「NO」）には、ステップＳ１１に戻って通常運転が継続される。
【００３０】
以上の第２実施形態によれば、エレベータが混雑する時間帯に、エレベータホールから乗りかごに新たに乗り込んだ利用者がいたか否かを精度良く判定し、乗り込んだ利用者がいたと判定したときに、乗車協力に対する謝意を示す情報を出力させることで、乗車マナーの向上を図ることができる。
【００３１】
《第３実施形態》
〈第３実施形態によるエレベータ制御装置を用いたエレベータの構成〉
本発明の第３実施形態によるエレベータ１Ｃの構成は、第１実施形態で説明したエレベータ１Ａの構成と同様であるため、同一機能を有する部分の詳細な説明は省略する。本実施形態においてエレベータ制御装置５Ｃの動作制御部５４は、乗りかご３が停止した階床が予め設定された階床である場合は、かご内報知情報を出力させない。
【００３２】
〈第３実施形態によるエレベータ制御装置を用いたエレベータの動作〉
本実施形態によるエレベータ１Ｃの動作について、図５のフローチャートを参照して説明する。
【００３３】
エレベータ制御装置５Ｃは、所定期間のエレベータ１Ｃの運転中に、乗りかご３が停止する階床が決定したときに（Ｓ２１の「YES」）、当該階床が予め設定された階床以外である場合には（Ｓ２２の「NO」）、かご内状況情報取得部５１が、当該停止階で戸開する前、戸開中の少なくとも２時点、および戸開し戸閉した後の乗りかご３内の状況を示す情報を取得する。つまり、乗りかご３が停止する階床が予め設定された階床である場合は（Ｓ２２の「YES」）、各時点のかご内の状況を示す情報の取得およびかご内報知情報の出力をせず、ステップＳ２１に戻る。
【００３４】
かご内状況情報取得部５１でかご内の状況を示す情報が取得されると、当該情報はかご内状況情報記憶部５２に記憶される（Ｓ２３）。その後、ステップＳ２４〜Ｓ２６で実行される処理は、第２実施形態で説明したステップＳ１３〜Ｓ１５の処理と同様であるため、詳細な説明は省略する。
【００３５】
以上の第３実施形態によれば、予め設定された階、例えば一般利用者が立ち入らない階床から乗りかごに乗り込んだ利用者に対しては乗車協力に対する謝意を示す情報を出力しないようにすることで、効率よくかご内報知情報の出力を行うことができる。
【００３６】
《第４実施形態》
〈第４実施形態によるエレベータ制御装置を用いたエレベータの構成〉
本発明の第４実施形態によるエレベータ１Ｄは、図６に示すように、エレベータ制御装置５Ｄがかご呼び登録情報取得部５５およびホール呼び登録情報取得部５６をさらに有する他は、第１実施形態で説明したエレベータ１Ａの構成と同様であるため、同一機能を有する部分の詳細な説明は省略する。
【００３７】
本実施形態においてかご呼び登録情報取得部５５は、エレベータ１Ｄのかご呼び登録の情報を取得する。またホール呼び登録情報取得部５６は、エレベータ１Ｄのホール呼び登録の情報を取得する。
【００３８】
また報知情報出力判定部５３Ｄは、乗りかご３がいずれかの階床に停止する前に、当該階床を行先階とするかご呼びが登録されておらず且つ当該階床で現在の乗りかご３の運転方向と同方向のホール呼びが登録されている状況になっていないと判断した場合には、かご内報知情報を出力させない判定をする。
【００３９】
〈第４実施形態によるエレベータ制御装置を用いたエレベータの動作〉
本実施形態によるエレベータ１Ｄの動作について、図７のフローチャートを参照して説明する。
【００４０】
エレベータ制御装置５Ｄは、所定期間のエレベータ１Ｄの運転中に、乗りかご３が停止する階床が決定したときに（Ｓ３１の「YES」）、当該階床が予め設定された階床以外であり（Ｓ３２の「NO」）、当該階床を行先階とするかご呼びが登録されておらず且つ当該階床で現在の乗りかご３の運転方向と同方向のホール呼びが登録されている状況になっている場合には（Ｓ３３の「YES」、かご内状況情報取得部５１が、当該停止階で戸開する前、戸開中の少なくとも２時点、および戸開し戸閉した後の乗りかご３内の状況を示す情報を取得する。つまり、乗りかご３が停止する階床が、当該階床を行先階とするかご呼びが登録されておらず且つ当該階床で現在の乗りかご３の運転方向と同方向のホール呼びが登録されている状況になっていない階床である場合には（Ｓ３３の「NO」）、各時点のかご内の状況を示す情報の取得およびかご内報知情報の出力をせず、ステップＳ３１に戻る。
【００４１】
かご内状況情報取得部５１でかご内の状況を示す情報が取得されると、当該情報はかご内状況情報記憶部５２に記憶される（Ｓ３４）。その後、ステップＳ３５〜Ｓ３７で実行される処理は、第２実施形態で説明したステップＳ１３〜Ｓ１５の処理と同様であるため、詳細な説明は省略する。
【００４２】
以上の第４実施形態によれば、乗りかごの利用者が降車せず、ホールの利用者が乗り込む可能性が高い階床で戸開した場合のみ、乗車協力に対する謝意を示す情報を出力するようにすることで、効率よくかご内報知情報の出力を行うことができる。
【００４３】
《第５実施形態》
〈第５実施形態によるエレベータ制御装置を用いたエレベータの構成〉
本発明の第５実施形態によるエレベータ１Ｅの構成は、第４実施形態で説明したエレベータ１Ｄの構成と同様であるため、同一機能を有する部分の詳細な説明は省略する。本実施形態においてエレベータ制御装置５Ｅの報知情報出力判定部５３Ｅは、乗りかご３が次に停止する階床と、当該階床の次の行先階との組み合わせが予め設定された条件に合致する場合には記かご内報知情報を出力させないと判定する。
【００４４】
〈第５実施形態によるエレベータ制御装置を用いたエレベータの動作〉
本実施形態によるエレベータ１Ｅの動作について、図８のフローチャートを参照して説明する。
【００４５】
エレベータ制御装置５Ｅは、所定期間のエレベータ１Ｅの運転中に、乗りかご３が停止する階床が決定したときに（Ｓ４１の「YES」）、当該階床が予め設定された階床以外であり（Ｓ４２の「NO」）、当該階床と、当該階床の次の行先階との組み合わせが予め設定された条件に合致しておらず（Ｓ４３の「NO」）、当該階床を行先階とするかご呼びが登録されておらず且つ当該階床で現在の乗りかご３の運転方向と同方向のホール呼びが登録されている状況になっている場合には（Ｓ４４の「NO」）、かご内状況情報取得部５１が、当該停止階で戸開する前、戸開中の少なくとも２時点、および戸開し戸閉した後の乗りかご３内の状況を示す情報を取得する。停止する階床と、当該階床の次の行先階との組み合わせについて予め設定される条件に合致するか否かは例えば、階床が低く乗りかごの移動にかかる時間が所定時間よりも短いとして予め設定される階床の組み合わせに合致するか否かで判断する。
【００４６】
かご内状況情報取得部５１でかご内の状況を示す情報が取得されると、当該情報はかご内状況情報記憶部５２に記憶される（Ｓ４５）。その後、ステップＳ４６〜Ｓ４８で実行される処理は、第２実施形態で説明したステップＳ１３〜Ｓ１５の処理と同様であるため、詳細な説明は省略する。
【００４７】
以上の第５実施形態によれば、階高が低い等により乗りかごの移動にかかる時間が短い階間については、予めかご内報知情報を出力させないように設定しておくことで、さらに効率よくかご内報知情報の出力を行うことができる。
【００４８】
《第６実施形態》
〈第６実施形態によるエレベータ制御装置を用いたエレベータの構成〉
本発明の第６実施形態によるエレベータ１Ｆの構成は、第４実施形態で説明したエレベータ１Ｄの構成と同様であるため、同一機能を有する部分の詳細な説明は省略する。本実施形態においてエレベータ制御装置５Ｆの報知情報出力判定部５３Ｆは、複数種類のかご内報知情報を保持し、かご内報知情報を出力させると判定した際に、保持した中から乗りかご３内の状況の変化に応じたいずれかのかご内報知情報を選択して出力させる。
【００４９】
〈第６実施形態によるエレベータ制御装置を用いたエレベータの動作〉
本実施形態によるエレベータ１Ｆの動作について、図９のフローチャートを参照して説明する。本実施形態において、ステップＳ４１〜Ｓ４７で実行される処理は、第５実施形態で説明した処理と同様であるため、詳細な説明は省略する。
【００５０】
ステップＳ４７において、報知情報出力判定部５３Ｆが、戸開中に乗りかご３内の人数が増加したと判定した場合には（Ｓ４７の「YES」）、保持した複数種類のかご内報知情報の中から乗りかご３内の状況の変化に応じたいずれかのかご内報知情報を選択して出力させる（Ｓ４９）。
【００５１】
例えば、新たに利用者が乗り込む直前に、乗りかご３内の利用者による床面積占有率が４０％程度の場合には、かご内報知情報として「ご協力ありがとうございます。」を出力させ、利用者による床面積占有率が８０％程度の場合には、より深い感謝の意を表して「混雑の中、乗車にご協力いただきありがとうございます。」を出力させる。また、報知情報出力判定部５３Ｆが、利用者の識別情報および利用者ごとの乗車協力状況に関する情報を蓄積し、乗りかご３内に頻繁に乗車に協力する行動をとる利用者がいる場合には、かご内報知情報として「いつも譲り合いにご理解、ご協力いただきありがとうございます。」を出力させる。つまり、乗りかご３内の利用者の乗車に対する協力姿勢に応じて、かご内報知情報を選択して出力させる。
【００５２】
以上の第６実施形態によれば、乗場の利用者が乗りかごに乗り込んだときに、乗車協力に対する謝意を示す情報を、状況に適した内容で出力することができ、さらに効率よく乗車マナーの向上を図ることができる。
【００５３】
《第７実施形態》
〈第７実施形態によるエレベータ制御装置を用いたエレベータの構成〉
本発明の第７実施形態によるエレベータ１Ｇは、図１０に示すように、エレベータ制御装置５Ｇがホール状況情報取得部５７をさらに有する他は、第４実施形態で説明したエレベータ１Ｄの構成と同様であるため、同一機能を有する部分の詳細な説明は省略する。本実施形態においてホール状況情報取得部５７は、ホールカメラ装置４２−１〜４２−ｎで撮影された撮像情報を解析することで、各階床のホール４−１〜４−ｎの状況を示す情報を取得する。
【００５４】
また報知情報出力判定部５３Ｇは、ホール状況情報取得部５７で取得された情報に基づいて、いずれかの階床のホール状況が所定の条件に合致すると判断すると該当する階床のホールスピーカ装置４３から、所定のホール報知情報を出力させる。
【００５５】
〈第７実施形態によるエレベータ制御装置を用いたエレベータの動作〉
本実施形態によるエレベータ１Ｇの動作について、図１１のフローチャートを参照して説明する。
【００５６】
エレベータ制御装置５Ｇの報知情報出力判定部５３Ｇは、所定期間のエレベータ１Ｇの運転中に、乗りかご３が停止する階床が決定したときに（Ｓ５１の「YES」）、当該階床が予め設定された階床以外であり（Ｓ５２の「NO」）、ホール状況が所定の条件に合致する階床があると判断すると（Ｓ５３の「YES」）、所定のホール報知情報出力指令を出力する。ここでは、ホール状況情報取得部５７で取得された情報に基づいて、該当ホール４に、乗場呼び登録操作を行ったことにより到着し戸開した乗りかご３に乗り込まず、再度乗場呼び登録操作を行って待機する利用者がいる階床があると判断すると、該当する階床のホールスピーカ装置４３から、謝意を示すホール報知情報を出力させるためのホール報知情報出力指令を出力する。
【００５７】
報知情報出力判定部５３Ｇからホール報知情報出力指令が出力されると、動作制御部５４は、該当する階床のホールスピーカ装置４３から、該当するホール報知情報「お待たせして恐れ入ります。」を出力する（Ｓ５４）。
【００５８】
以降、ステップＳ５５〜Ｓ６０で実行される処理は、第６実施形態で説明したステップＳ４３〜Ｓ４９の処理と同様であるため、詳細な説明は省略する。
【００５９】
以上の第７実施形態によれば、乗りかごの到着を待つホールの待ち利用者に対しても乗車を促す報知情報を出力することで、さらにエレベータの運転効率を上昇させることができる。
【００６０】
《第８実施形態》
〈第８実施形態によるエレベータ制御装置を用いたエレベータの構成〉
本発明の第８実施形態によるエレベータ１Ｈの構成は、第７実施形態で説明したエレベータ１Ｇの構成と同様であるため、同一機能を有する部分の詳細な説明は省略する。本実施形態においてエレベータ制御装置５Ｈの報知情報出力判定部５３Ｈは、複数種類のホール報知情報を保持し、ホール報知情報を出力させる際に、保持した中から乗りかご３内の状況の変化に応じたいずれかのホール報知情報を選択して出力させる。
【００６１】
〈第８実施形態によるエレベータ制御装置を用いたエレベータの動作〉
本実施形態によるエレベータ１Ｈの動作について、図１２のフローチャートを参照して説明する。本実施形態において、ステップＳ５１〜Ｓ６０で実行される処理は、第５実施形態で説明した処理と同様であるため、詳細な説明は省略する。
【００６２】
ステップＳ５３において、報知情報出力判定部５３Ｈが、ホール状況が所定の条件に合致する階床があると判断すると（Ｓ５３の「YES」）、保持した複数種類のホール報知情報の中から該当するホール４の状況の変化に応じたいずれかのホール報知情報を選択して、該当する階床のホールスピーカ装置４３から出力させる（Ｓ６１）。
【００６３】
例えば、乗場呼び登録操作を行ったことにより到着し戸開した乗りかご３に乗り込まず、再度乗場呼び登録操作を行って待機する一般利用者がいる階床では、ホール報知情報として、「お待たせして申し訳ございません。まもなく次のかごが参ります。」を出力させる。また、同様に再度乗場呼び登録操作を行って待機するベビーカー利用者がいる階床では、ホール報知情報「少々お待ちください。次は十分スペースのある状況でご乗車いただけます。」を出力させる。また、乗りかご３が次に停止する階床のホールにいる利用者がいる場合には、「乗車可能なかごがまもなく到着しますのでご乗車ください。」を出力させる。また、白杖を使用する目の不自由な利用者がホール４にいる階床では、乗りかご３内の空きスペースがある側を案内するためのホール報知情報「向かって右側のスペースに空きがございます。」を出力させる。
【００６４】
以上の第８実施形態によれば、乗りかごの到着を待つホールの待ち利用者に対して、乗りかご内の状況に適した内容の報知情報を出力することで、利用者の乗車意欲を高め、さらにエレベータの運転効率を上昇させることができる。
【００６５】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６６】
１Ａ，１Ｂ，１Ｃ，１Ｄ，１Ｅ，１Ｆ，１Ｇ，１Ｈ…エレベータ、２…昇降路、３…乗りかご、４，４−１〜４−ｎ…エレベータホール、５Ａ，５Ｂ，５Ｃ，５Ｄ，５Ｅ，５Ｆ，５Ｇ，５Ｈ…エレベータ制御装置、３１…かごドア、３２…かご内操作盤、３３…かご内カメラ装置、３４…かご内スピーカ装置、４１，４１−１〜４１−ｎ…ホール操作盤、４２，４２−１〜４２−ｎ…ホールカメラ装置、４３，４３−１〜４３−ｎ…ホールスピーカ装置、５１…かご内状況情報取得部、５２…かご内状況情報記憶部、５３Ａ，５３Ｂ，５３Ｄ，５３Ｅ，５３Ｆ，５３Ｇ，５３Ｈ…報知情報出力判定部、５４…動作制御部、５５…かご呼び登録情報取得部、５６…ホール呼び登録情報取得部、５７…ホール状況情報取得部
【要約】      （修正有）【課題】利用者の乗車マナーを向上させることでエレベータの積み残しを低減させて運転効率を向上させることが可能な、エレベータ制御装置およびエレベータ制御方法を提供する。【解決手段】エレベータ制御装置は、かご内状況情報取得部５１と動作制御部５４とを備える。かご内状況情報取得部５１は、エレベータの乗りかごがいずれかの階床で停止して戸開する前の乗りかご内の状況を示す情報と、当該階床で戸開し戸閉した後の乗りかご内の状況を示す情報とを取得する。動作制御部５４は、かご内状況情報取得部５１で取得された情報に基づいて、該当する階床で戸開し戸閉した後の乗りかご内の利用者数が戸開前の利用者数よりも増加していたと判断した場合に、かご内出力装置から、利用者の乗車協力に対する謝意を示すかご内報知情報を出力させる。【選択図】図２【図１】
0006968939.tif 000002
【図２】
0006968939.tif 000003
【図３】
0006968939.tif 000004
【図４】
0006968939.tif 000005
【図５】
0006968939.tif 000006
【図６】
0006968939.tif 000007
【図７】
0006968939.tif 000008
【図８】
0006968939.tif 000009
【図９】
0006968939.tif 000010
【図１０】
0006968939.tif 000011
【図１１】
0006968939.tif 000012
【図１２】
0006968939.tif 000013